(57)【要約】【課題】  縦方向のスジ状のムラを目立たなくする。【解決手段】  電気光学パネル１００は、各ブロックのデータ線とは一対一に対応する画像信号線とを有する。画像信号供給回路３００は、水平有効表示期間では、選択された走査線と選択されたブロックとの交差に対応する画素の画像信号を、対応する画像信号線にそれぞれ供給する一方、水平帰線期間期間の一部であって、水平有効表示期間とは時間的に隔絶したプリチャージ期間に少なくともプリチャージ信号Ｖpreを画像信号線に供給し、続く水平有効走査期間の開始までに黒信号Ｖbkの電圧に切り替える。制御回路２００は、プリチャージ信号Ｖpreから黒信号Ｖbkに切り替えるタイミングを、画像信号線毎に調整可能とする。【選択図】      図１
2005321649.tif 000002
【特許請求の範囲】
【請求項１】
複数の走査線と、
所定の本数毎に複数のブロックに分けられたデータ線と、
前記走査線と前記データ線との交差に対応して設けられるとともに、走査線が選択されたときに、データ線に供給された画像信号が書き込まれる画素と、
前記各ブロックのデータ線とは一対一に対応する画像信号線と、
複数の走査線のうち、水平有効表示期間では一の走査線を選択し、水平帰線期間では走査線のすべてを非選択とし、次の水平有効表示期間では別の走査線を選択する走査線駆動回路と、
前記水平有効表示期間では、前記複数のブロックを順次選択するブロック選択回路と、
前記データ線の各々に設けられ、選択されたブロックのデータ線に対し、対応する画像信号線に供給された信号をそれぞれサンプリングするサンプリングスイッチと、
前記水平有効表示期間では、選択された走査線と選択されたブロックとの交差に対応する画素の画像信号を、対応する画像信号線にそれぞれ供給する画像信号供給回路と、
各ブロックにおけるデータ線に対し、前記水平帰線期間の一部であって、前記水平有効表示期間とは時間的に隔絶したプリチャージ期間に少なくとも第１の電圧を印加し、続く水平有効走査期間の開始までに第２の電圧に切り替えるタイミング調整回路であって、前記第１の電圧から前記第２の電圧に切り替えるタイミングを、データ線毎に調整可能とするタイミング調整回路と
を具備することを特徴とする電気光学装置。
【請求項２】
前記ブロック選択回路は、
前記プリチャージ期間にすべてのブロックを選択し、
前記画像信号供給回路は、
前記プリチャージ期間の開始タイミングでは第１の電圧をすべての画像信号線に供給し、続く水平有効走査期間の開始までに第２の電圧に切り替えるように供給し、
前記タイミング調整回路は、
前記画像信号供給回路が前記第１の電圧から前記第２の電圧に切り替えるタイミングを設定する
ことを特徴とする請求項１に記載の電気光学装置。
【請求項３】
前記第２の電圧は、画素を最低輝度またはその近傍輝度に電圧である
ことを特徴とする請求項１に記載の電気光学装置。
【請求項４】
請求項１乃至３のいずれに記載の電気光学装置を表示部として有する
ことを特徴とする電子機器。
【請求項５】
複数の走査線と、所定の本数毎に複数のブロックに分けられたデータ線と、前記走査線と前記データ線との交差に対応して画素と、前記各ブロックのデータ線とは一対一に対応する画像信号線と、を有する電気光学装置の駆動回路であって、
複数の走査線のうち、水平有効表示期間では一の走査線を選択し、水平帰線期間では走査線のすべてを非選択とし、次の水平有効表示期間では別の走査線を選択する走査線駆動回路と、
前記水平有効表示期間では、前記複数のブロックを順次選択するブロック選択回路と、
前記データ線の各々に設けられ、選択されたブロックのデータ線に対し、対応する画像信号線に供給された信号をそれぞれサンプリングするサンプリングスイッチと、
前記水平有効表示期間では、選択された走査線と選択されたブロックとの交差に対応する画素の画像信号を、対応する画像信号線にそれぞれ供給する画像信号供給回路と、
各ブロックにおけるデータ線に対し、前記水平帰線期間の一部であって、前記水平有効表示期間とは時間的に隔絶したプリチャージ期間に少なくとも第１の電圧を印加し、続く水平有効走査期間の開始までに第２の電圧に切り替えるタイミング調整回路であって、前記第１の電圧から前記第２の電圧に切り替えるタイミングを、データ線毎に調整可能とするタイミング調整回路と
を具備することを特徴とする電気光学装置の駆動回路。
【請求項６】
複数の走査線と、所定の本数毎に複数のブロックに分けられたデータ線と、前記走査線と前記データ線との交差に対応して画素と、前記各ブロックのデータ線とは一対一に対応する画像信号線と、を有する電気光学装置の駆動方法であって、
複数の走査線のうち、水平有効表示期間では一の走査線を選択し、水平帰線期間では走査線のすべてを非選択とし、次の水平有効表示期間では別の走査線を選択し、
前記水平有効表示期間では、前記複数のブロックを順次選択し、
前記データ線の各々に設けられ、選択されたブロックのデータ線に対し、対応する画像信号線に供給された信号をそれぞれサンプリングし、
前記水平有効表示期間では、選択された走査線と選択されたブロックとの交差に対応する画素の画像信号を、対応する画像信号線にそれぞれ供給し、
各ブロックにおけるデータ線に対し、前記水平帰線期間の一部であって、前記水平有効表示期間とは時間的に隔絶したプリチャージ期間に少なくとも第１の電圧を印加し、続く水平有効走査期間の開始までに第２の電圧に切り替え、前記第１の電圧から前記第２の電圧に切り替えるタイミングをデータ線毎に調整すること、
を特徴とする電気光学装置の駆動方法。
【発明の詳細な説明】
【技術分野】
【０００１】
本発明は、画像信号を相展開してデータ線にサンプリングする技術に関する。
【背景技術】
【０００２】
近年では、液晶などの電気光学パネルを用いて小型画像を形成するとともに、この小型画像を光学系によってスクリーンや壁面等に拡大投射するプロジェクタが普及しつつある。プロジェクタは、それ自体で画像を作成する機能はなく、パソコンやテレビチューナなどの上位装置から映像データ（または映像信号）の供給を受ける。この映像データは、画素の階調（明るさ）を指定するものであって、マトリクス状に配列する画素の垂直走査および水平走査した形式で供給されるので、プロジェクタに用いられる電気光学パネルについても、この形式に準じて駆動するのが適切である。このため、プロジェクタに用いられる電気光学パネルでは、走査線を順番に選択するとともに、１本の走査線が選択される期間（１水平走査期間）において１本ずつデータ線を順番に選択して、映像データを液晶の駆動に適するように変換した画像信号を、選択したデータ線に供給する、という点順次方式で駆動するのが一般的であった。
【０００３】
ところで最近では、ハイビジョンなどのように表示画像の高精細化が進行している。高精細化は、走査線の本数およびデータ線の本数を増加させることによって達成することができるが、走査線本数の増加によって１水平走査期間が短縮し、さらに、点順次方式では、データ線本数の増加によって、データ線の選択期間も短縮する。このため、点順次方式では、高精細化が進行するにつれてデータ線に画像信号を供給する時間を充分に確保できなくなって、画素への書き込みが不十分となり始めた。
そこで、書き込みが不十分となる点を解消する目的で、相展開駆動という方式が考え出された（特許文献１参照）。この相展開駆動は、１水平走査期間において、データ線を予め定められた本数、例えば６本毎に同時に選択するとともに、選択走査線と選択データ線との交差に対応する画素への画像信号を時間軸に対し６倍に伸長して、選択した６本のデータ線の各々に供給する、という方式である。この相展開駆動方式では、データ線に画像信号を供給する時間を、点順次方式と比較して、この例では６倍確保することができるので、高精細化に適している、と考えられている。
【特許文献１】特開２０００−１１２４３７号公報
【発明の開示】
【発明が解決しようとする課題】
【０００４】
しかしながら、この相展開駆動方式では、複数本のデータ線を同時に選択することに起因して表示品位の低下現象が発生しやすい。詳細には、ある程度の広い範囲の画素を同一輝度とするような表示をしようとする場合であっても、データ線に沿って列毎に輝度が異なるとともに、さらに、この輝度の相違が同時に選択するデータ線の本数を単位として現れてしまう、という現象が発生する傾向がある。
本発明は、上述した事情に鑑みてなされたもので、その目的とするところは、相展開したときの表示品位の低下現象を抑えて、高品位な表示を可能とする電気光学装置、電気光学装置の駆動回路、電気光学装置の駆動方法および電子機器を提供することにある。
【課題を解決するための手段】
【０００５】
上記目的を達成するために本発明に係る電気光学装置は、複数の走査線と、所定の本数毎に複数のブロックに分けられたデータ線と、前記走査線と前記データ線との交差に対応して設けられるとともに、走査線が選択されたときに、データ線に供給された画像信号が書き込まれる画素と、前記各ブロックのデータ線とは一対一に対応する画像信号線と、複数の走査線のうち、水平有効表示期間では一の走査線を選択し、水平帰線期間では走査線のすべてを非選択とし、次の水平有効表示期間では別の走査線を選択する走査線駆動回路と、前記水平有効表示期間では、前記複数のブロックを順次選択するブロック選択回路と、前記データ線の各々に設けられ、選択されたブロックのデータ線に対し、対応する画像信号線に供給された信号をそれぞれサンプリングするサンプリングスイッチと、前記水平有効表示期間では、選択された走査線と選択されたブロックとの交差に対応する画素の画像信号を、対応する画像信号線にそれぞれ供給する画像信号供給回路と、各ブロックにおけるデータ線に対し、前記水平帰線期間の一部であって、前記水平有効表示期間とは時間的に隔絶したプリチャージ期間に少なくとも第１の電圧を印加し、続く水平有効走査期間の開始までに第２の電圧に切り替えるタイミング調整回路であって、前記第１の電圧から前記第２の電圧に切り替えるタイミングを、データ線毎に調整可能とするタイミング調整回路とを具備することを特徴とする。この電気光学装置によれば、プリチャージ後に、第１の電圧から第２の電圧への切替タイミングを、画像信号線の各々に対応するデータ線毎に調整することにより、ブロックにおいて、データ線にプリチャージされる電圧を異ならせることができる。これにより、データ線にサンプリングされる画像信号の電圧が異なってしまう現象を打ち消して、表示品位を高めることが可能となる。
【０００６】
ここで、上記電気光学装置において、前記ブロック選択回路は、前記プリチャージ期間にすべてのブロックを選択し、前記画像信号供給回路は、前記プリチャージ期間の開始タイミングでは第１の電圧をすべての画像信号線に供給し、続く水平有効走査期間の開始までに第２の電圧に切り替えるように供給し、前記タイミング調整回路は、前記画像信号供給回路が前記第１の電圧から前記第２の電圧に切り替えるタイミングを設定する構成としても良い。また、上記電気光学装置において第２の電圧は、画素を最低輝度またはその近傍輝度に電圧であることが好ましい。
【０００７】
なお、本発明は、電気光学装置のみならず、電気光学装置の駆動回路および電気光学装置の駆動方法としても概念することができる。
また、本発明に係る電子機器は、上記電気光学装置の表示パネルを表示部として有するので、上記縦スジを目立たなくして、表示品位を高めることが可能となる。
【発明を実施するための最良の形態】
【０００８】
以下、本発明の実施形態について図面を参照して説明する。図１は、本実施形態に係る電気光学装置の全体構成を示すブロック図である。
この図に示されるように、電気光学装置は、電気光学パネル１００と、制御回路２００と、画像信号供給回路３００とから構成される。このうち、制御回路２００は、図示しない上位装置から供給される垂直走査信号Ｖｓ、水平走査信号Ｈｓおよびドットクロック信号ＤＣＬＫから、各部を制御するためのタイミング信号やクロック信号などを生成する。制御回路２００は、また、水平有効表示期間においてＬレベルとなり、水平帰線期間においてＨレベルとなる信号ＢＬや、後述するようにプリチャージ期間においてのみＨレベルとなる信号ＮＲＧ、この信号ＮＲＧに波形が同一の、または、近似する信号ＰＢ１〜ＰＢ６を生成する。
なお、制御回路２００は、内部にフラッシュメモリ（図示省略）を有し、このフラッシュメモリに、信号ＰＢ１〜ＰＢ６の波形を規定する情報を記憶する。
【０００９】
画像信号供給回路３００は、さらに、Ｓ／Ｐ変換回路３１０、Ｄ／Ａ変換回路群３２０、増幅・反転回路３３０、第１セレクタ３４０、黒電圧生成回路３５０、プリチャージ電圧生成回路３６０および第２セレクタ３７０を有する。このうち、Ｓ／Ｐ変換回路３１０は、図示されない上位装置から供給されるディジタルの映像データＶｉｄを、ｃｈ１〜ｃｈ６の６チャネルに分配するとともに、それぞれ時間軸に６倍に伸長（シリアル−パラレル変換または相展開）して、映像データＶｄ１ｄ〜Ｖｄ６ｄとして出力するものである。
ここで、伸長前の映像データＶｉｄは、画素の明るさを指定するデータであって、垂直走査信号Ｖｓ、水平走査信号Ｈｓおよびドットクロック信号ＤＣＬＫに同期して（すなわち、垂直走査および水平走査にしたがって）供給される。
なお、映像データＶｉｄをシリアル−パラレル変換する理由は、後述するサンプリングスイッチにおいて、画像信号が印加される時間を長くして、サンプル＆ホールド時間および充放電時間を確保するためである。
【００１０】
Ｄ／Ａ変換回路群３２０は、チャネルｃｈ１〜ｃｈ６毎に設けられたＤ／Ａ変換器の集合体であって、映像データＶｄ１ｄ〜Ｖｄ６ｄを、それぞれ画素の階調に応じた電圧を有するアナログの画像信号に変換するものである。
増幅・反転回路３３０は、アナログ変換された画像信号を、電圧Ｖcを基準にして極性反転または正転した後、適宜、増幅して画像信号Ｖｄ１〜Ｖｄ６として供給するものである。ここで、極性反転については、（ａ）走査線毎、（ｂ）データ信毎、（ｃ）画素毎、（ｄ）面（フレーム）毎などの態様があるが、この実施形態にあっては（ａ）走査線毎の極性反転（１Ｈ反転）であるとする。ただし、本発明をこれに限定する趣旨ではない。
なお、電圧Ｖcは、図５に示されるように画像信号の振幅中心電圧であり、対向電極に印加される電圧ＬＣcomとほぼ等しい。そして、本実施形態では、便宜上、振幅中心電圧Ｖcよりも高位電圧を正極性と、低位電圧を負極性と、それぞれ称している。
また、この実施形態では、映像データＶｉｄをシリアル−パラレル変換した後にアナログ変換する構成とするが、シリアル−パラレル変換前にアナログ変換しても良いのはもちろんである。
【００１１】
第１セレクタ３４０は、各チャネルに対応して設けられる２入力１出力の双投スイッチの集合体であって、各双投スイッチの選択は、信号ＢＬにしたがって一括してなされる。詳細には、第１セレクタ３４０の双投スイッチは、信号ＢＬがＬレベルである場合、図１において実線で示される位置をとって、画像信号Ｖｄ１〜Ｖｄ６を選択する一方、信号ＢＬがＨレベルである場合、後述する第２セレクタ３７０の出力信号を選択して、選択した信号をＶｉｄ１〜Ｖｉｄ６として電気光学パネル１００に供給する。
上述したように信号ＢＬは水平有効表示期間においてＬレベルとなり、水平帰線期間においてＨレベルとなるので、第１セレクタ３４０で選択されて電気光学パネル１００に供給される信号Ｖｉｄ１〜Ｖｉｄ６は、水平有効表示期間では画像信号Ｖｄ１〜Ｖｄ６であり、水平帰線期間では第２セレクタ３７０の出力信号となる。
【００１２】
ここで便宜上、電気光学パネル１００の構成について説明する。図２は、電気光学パネル１００の電気的な構成を示すブロック図であり、図３は、電気光学パネルの画素の詳細な構成を示す図である。
図２に示されるように、電気光学パネル１００では、複数本の走査線１１２が横方向（Ｘ方向）に延接される一方、複数本のデータ線１１４が図において縦方向（Ｙ方向）に延設されている。そして、これらの走査線１１２とデータ線１１４との交差の各々に対応するように画素１１０がそれぞれ設けられている。
本実施形態では、走査線１１２の本数（行数）を「ｍ」とし、データ線の本数（列数）を「６ｎ」（６の倍数）として、画素１１０が、縦ｍ行×横６ｎ列のマトリクス状に配列する構成を想定する。
【００１３】
６本の画像信号線１７１には、第１セレクタ３４０によって選択出力された信号Ｖｉｄ１〜Ｖｉｄ６がそれぞれ供給される。
各データ線１１４の一端には、画像信号線１７１に供給される信号Ｖｉｄ１〜Ｖｉｄ６の各々を、データ線１１４にサンプリングするためサンプリングスイッチ１５０がそれぞれ設けられている。各サンプリングスイッチ１５０は、本実施形態では、ｎチャネル型の薄膜トランジスタ（Thin Film Transistor、以下、ＴＦＴと称する）であり、そのドレインがデータ線１１４に接続される一方、そのゲートは、６本のデータ線１１４を１単位として共通接続されている。
ここで、サンプリングスイッチ１５０のゲートが共通接続されているデータ線１１４を１つのブロックとして考える。そして、このようなブロックを考えた場合に、図２において左から数えてｊ列目のデータ線１１４の一端にドレインが接続されたサンプリングスイッチ１５０は、ｊを６で割った余りが「１」であるならば、そのソースが、信号Ｖｉｄ１が供給される画像信号線１７１に接続される。同様に、ｊを６で割った余りが「２」、「３」、「４」、「５」、「０」であるデータ線１１４にドレインが接続されたサンプリングスイッチ１５０の各々は、そのソースが、信号Ｖｉｄ２〜Ｖｉｄ６が供給される画像信号線１７１にそれぞれ接続されている。例えば、図２において左から数えて１１列目のデータ線１１４にドレインが接続されたサンプリングスイッチ１５０のソースは、「１１」を６で割った余りが「５」であるから、信号Ｖｉｄ５が供給される画像信号線１７１に接続される。なお、ここでいう「ｊ」は、データ線１１４を一般化して説明するためのものであって、１≦ｊ≦６ｎを満たす正整数である。
【００１４】
走査線駆動回路１３０は、１水平有効表示期間だけＨレベルになる走査信号Ｇ１、Ｇ２、…、Ｇｍを、図４に示されるように、１水平走査期間（１Ｈ）毎に順番に出力するものである。なお、走査線駆動回路１３０の詳細については、本発明と直接関連しないので省略するが、１垂直走査期間の最初に供給される転送開始パルスＤＹを、クロック信号ＣＬＹのレベルが遷移する毎に順次シフトした後、波形整形などして、走査信号Ｇ１、Ｇ２、…、Ｇｍとして出力する。
【００１５】
また、ブロック選択回路１４０は、シフトレジスタ１４２およびＯＲ回路１４４を有する。このうち、シフトレジスタ１４２は、図４に示されるように、１水平有効表示期間の最初に供給される転送開始パルスＤＸを、クロック信号ＣＬＸのレベルが遷移する（立ち上がる又は立ち下がる）毎に順次シフトするとともに、そのパルス幅を狭めて、信号Ｓａ１、Ｓａ２、…、Ｓａ（ｎ−１）、Ｓｎとして出力するものである。
ＯＲ回路１４４は、シフトレジスタ１４２の各出力段にそれぞれ設けられ、当該出力段からの信号と信号ＮＲＧとの論理和信号を出力するものである。
このように、シフトレジスタ１４２による信号Ｓａ１、Ｓａ２、…、Ｓａ（ｎ−１）、Ｓｎは、ＯＲ回路１４４を経て、最終的にサンプリング信号Ｓ１、Ｓ２、Ｓ３、…、Ｓｎとして出力される。
【００１６】
そして、これらのサンプリング信号Ｓ１、Ｓ２、Ｓ３、…、Ｓｎは、図２においてブロック化されたデータ線１１４に対応するサンプリングスイッチのゲートに共通に供給される。例えば、左から数えて２番目のブロックには、７列〜１２列目のデータ線１１４に対応するので、これらのデータ線１１４に対応するサンプリングスイッチ１５０のゲートには、サンプリング信号Ｓ２が共通に供給される。
なお、サンプリングスイッチ１５０を構成するＴＦＴについては、本実施形態ではｎチャネル型としているが、ｐチャネル型としても良いし、両チャネルを組み合わせた相補型としても良い。
【００１７】
次に、画素１１０について説明する。
図３に示されるように、画素１１０においては、ｎチャネル型のＴＦＴ１１６のソースがデータ線１１４に接続されるとともに、ドレインが画素電極１１８に接続される一方、ゲートが走査線１１２に接続されている。
また、画素電極１１８に対向するように対向電極１０８が全画素に対して共通に設けられるとともに、一定の電圧ＬＣcomに維持される。そして、これらの画素電極１１８と対向電極１０８との間に液晶層１０５が挟持されている。このため、画素毎に、画素電極１１８、対向電極１０８および液晶層１０５からなる液晶容量が構成されることになる。
【００１８】
特に図示はしないが、両基板の各対向面には、液晶分子の長軸方向が両基板間で例えば約９０度連続的に捻れるようにラビング処理された配向膜がそれぞれ設けられる一方、両基板の各背面側には配向方向に応じた偏光子がそれぞれ設けられる。
画素電極１１８と対向電極１０８との間を通過する光は、液晶層１０５に印加される電圧実効値がゼロであれば、液晶分子の捻れに沿って約９０度旋光する一方、当該電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させると、当該電圧実効値がゼロであれば、光の透過率が最大となって白色表示になる一方、電圧実効値が大きくなるにつれて透過する光量が減少して、ついには透過率が最小である黒色表示になる（ノーマリーホワイトモード）。
また、液晶容量において電荷がリークしにくくするために、蓄積容量１０９が画素毎に形成されている。この蓄積容量１０９の一端は、画素電極１１８（ＴＦＴ１１６のドレイン）に接続される一方、その他端は、全画素にわたって共通接地されている。
なお、画素１１０におけるＴＦＴ１１６は、走査線駆動回路１３０や、シフトレジスタ１４２、ＯＲ回路１４４、サンプリングスイッチ１５０の構成素子と共通の製造プロセスで形成されて、装置全体の小型化や低コスト化に寄与している。
【００１９】
再び説明を図１に戻す。黒電圧生成回路３５０は、画素を最低輝度とさせる電圧の黒信号Ｖbkを生成するものである。プリチャージ電圧生成回路３６０は、データ線１１４に画像信号をサンプリングする直前の帰線期間において、データ線１１４をプリチャージする電圧を有するプリチャージ信号Ｖpreを生成するものである。本実施形態ではプリチャージ信号Ｖpreとして、例えば画素を最高階調の白色と最低階調の黒色との中間値である灰色とさせる電圧（灰色相当電圧）を用いることにする。
【００２０】
ここで、データ線１１４をプリチャージする理由は、次の通りである。すなわち、データ線１１４には容量が寄生するので、プリチャージしない構成では、ある水平有効表示期間において画像信号の電圧をデータ線１１４にサンプリングすると、サンプリング後においても電圧が残存してしまう。このため、次の水平有効表示期間において、新たな画像信号の電圧をデータ線１１４にサンプリングする直前の電圧がデータ線１１４毎に異なる事態が発生する。書込時間に余裕がない状況下にあっては、データ線１１４同士でサンプリング直前電圧が異なると、たとえ同一電圧の画像信号をサンプリングする場合であっても、最終的にサンプリングされる電圧が異なってしまい、これが階調の差となって現れて表示品位を低下させるからである。そこで、データ線１１４に画像信号をサンプリングする際に、予めすべてのデータ線１１４に対して互いに同一の電圧でプリチャージすることにより初期電圧値を揃えて残存電圧の影響が発生しないようにすることがプリチャージの目的である。
【００２１】
次に、このプリチャージ電圧として灰色相当電圧を用いることの理由について説明する。仮にデータ線１１４に白色相当電圧（Ｖcに相当する）がプリチャージされている状態で、画像信号として黒色相当電圧をサンプリングする場合、白色相当電圧から黒色相当電圧にまでデータ線１１４を変化させなければならないので、時間を要することになる。逆に考えると、初期電圧としてのプリチャージ電圧は、サンプリングされる画像信号の電圧に対する差が小さいほど良い。画像信号の電圧は、白色相当電圧から黒色相当電圧までの範囲であるので、統計的にみて、その中間の灰色相当電圧をプリチャージ電圧に設定すれば、サンプリング時の負担が最も少なくするであろうことは容易に想像がつく。
【００２２】
上述したように本実施形態では、走査線毎の極性反転とするので、１垂直走査期間では、正極性書込と負極性書込とが１水平走査期間毎に交互に実行される。また、本実施形態にあっては、液晶層１０５に印加される電圧実効値が小さい場合に白色表示を行うノーマリーホワイトモードとする。このため、黒信号Ｖbkおよびプリチャージ信号Ｖpreは、それぞれ図５に示されるような電圧波形となる。
【００２３】
詳細には、黒信号Ｖbkは、正極性書込となる水平有効表示期間の直前の水平帰線期間における略中心タイミングにて、負極性の黒色相当電圧Ｖb(-)から正極性の黒色相当電圧Ｖb(+)に切り替わり、その後、負極性書込となる水平有効表示期間の直前の水平帰線期間におけるほぼ中心タイミングにて、黒色相当電圧Ｖb(+)から黒色相当電圧Ｖb(-)に切り替わる。
また、プリチャージ信号Ｖpreは、正極性書込となる水平有効表示期間の直前の水平帰線期間における略中心タイミングにて、負極性の灰色相当電圧Ｖg(-)から正極性の灰色相当電圧Ｖg(+)に切り替わり、その後、負極性書込となる水平有効表示期間の直前の水平帰線期間におけるほぼ中心タイミングにて、灰色相当電圧Ｖg(+)から灰色相当電圧Ｖg(-)に切り替わる。
このように、黒信号Ｖbkおよびプリチャージ信号Ｖpreは、それぞれ１水平走査期間毎に極性反転される。
【００２４】
第２セレクタ３７０は、各チャネルに対応して設けられる２入力１出力の双投スイッチの集合体である。詳細には、第２セレクタ３７０における双投スイッチは、それぞれ信号ＰＢ１〜ＰＢ６がＬレベルである場合、図１において実線で示される位置をとって、黒信号Ｖbkを選択する一方、信号ＰＢ１〜ＰＢ６がＨレベルである場合、プリチャージ信号Ｖpreを選択する。なお、第２セレクタ３７０は、第１セレクタ３４０とは異なり、各双投スイッチの選択は、それぞれ信号ＰＢ１〜ＰＢ６によってチャネル毎に個別になされる。
上述したように、信号ＰＢ１〜ＰＢ６は、信号ＮＲＧと波形と近似するので、水平帰線期間において第２セレクタ３７０によって各チャネルで選択される信号は、おおよそプリチャージ期間ではプリチャージ信号Ｖpreであり、それ以外の期間では黒信号Ｖbkとなる。
なお、水平帰線期間のうち、プリチャージ期間以外の期間において黒信号Ｖbkを選択する理由は、第１に、タイミングズレなどの理由により画素１１０に供給されたとしても、当該画素を表示に寄与させないためと、第２に、電気光学パネル１００では、有効表示領域外にダミー画素（図２において図示省略）を設ける場合があり、この場合に、ダミー画素に黒信号を供給して表示に寄与させないためである。
【００２５】
次に、電気光学装置の動作について説明する。まず、垂直走査期間の最初において、転送開始パルスＤＹが走査線駆動回路１３０に供給される。この供給によって、図４に示されるように、走査信号Ｇ１、Ｇ２、Ｇ３、…、Ｇｍが順次排他的にＨレベルになって、それぞれ走査線１１２に出力される。
まず、走査信号Ｇ１がＨレベルになる水平有効表示期間について着目すると、図５に示されるように、当該水平有効表示期間の先立つ水平帰線期間にわたって信号ＢＬがＨレベルになるとともに、その水平帰線期間の中心および終端から時間的に隔絶されたプリチャージ期間にてＨレベルになる。また、はじめの段階においては、制御回路２００は、信号ＰＢ１〜ＰＢ６がすべて信号ＮＲＧと略同一タイミングにてＨレベルとさせる。
このようなタイミングは、制御回路２００のフラッシュメモリに記憶される情報により規定される。
【００２６】
一方、黒信号Ｖbkおよびプリチャージ信号Ｖpreは、それぞれ図５に示されるような電圧波形となる点については上述した通りである。
ここで、水平帰線期間において信号ＢＬがＨレベルとなることにより第１セレクタ３４０は、第２セレクタ３７０による信号を選択する。ここでは、信号ＰＢ１〜ＰＢ６を信号ＮＲＧと同一波形としているので、プリチャージ期間においてＨレベルとなり、プリチャージ期間以外の期間においてＬレベルとなる。このため、第２セレクタ３７０は、プリチャージ期間ではプリチャージ信号Ｖpreを選択し、プリチャージ期間以外の期間では黒信号Ｖbkを選択する。
このため、画像信号線１７１に供給される信号Ｖｉｄ１〜Ｖｉｄ６の電圧波形は、図５に示されるように、正極性書込となる水平有効表示期間直前の水平帰線期間では、そのほぼ中心タイミングにて電圧Ｖb(-)からＶb(+)に切り替わり、プリチャージ期間においてＶg(+)となり、その後、再び電圧Ｖb(+)となる一方、負極性書込となる水平有効表示期間直前の水平帰線期間では、そのほぼ中心タイミングにて電圧Ｖb(+)からＶb(-)に切り替わり、プリチャージ期間においてＶg(-)となり、その後、再び電圧Ｖb(-)となる。
【００２７】
説明の便宜上、正極性書込となる水平有効表示期間直前の水平帰線期間について説明する。この水平帰線期間において信号ＮＲＧがＨレベルになると、シフトレジスタ１４２の出力信号Ｓａ１、Ｓａ２、…、Ｓａ（ｎ−１）、Ｓａｎにかかわらず、信号Ｓ１、Ｓ２、…、Ｓ（ｎ−１）、ＳｎがＯＲ回路１４４によってＨレベルとなるので、すべてのサンプリングスイッチ１５０がオンする。このため、画像信号線１７１に供給されたプリチャージ信号Ｖpreがデータ線１１４にサンプリングされて、すべてのデータ線１１４が当該電圧Ｖg(+)にプリチャージされる。
なお、水平帰線期間では、走査信号Ｇ１、Ｇ２、Ｇ３、…のいずれもＬレベルであるので、データ線１１４にプリチャージされた電圧Ｖg(+)が画素１１０に書き込まれることはない。
プリチャージ期間が終了すると、信号ＮＲＧがＬレベルになるので、サンプリングスイッチ１５０はオフする。このため、データ線１１４は、その寄生容量によってプリチャージ電圧Ｖg(+)を保持することになる。
【００２８】
水平帰線期間が終了すると、水平有効表示期間が開始する。
水平有効表示期間では、水平走査に同期して供給される映像データＶｉｄが、第１に、Ｓ／Ｐ変換回路３１０によって６チャネルに分配されるとともに、時間軸に対して６倍に伸長され、第２に、Ｄ／Ａ変換回路群３２０によってそれぞれアナログ信号に変換され、第３に、さらに、増幅・反転回路３３０によって正極性書込に対応して電圧Ｖcを基準に正転して出力される。このため、増幅・反転回路３３０による画像信号Ｖｄ１〜Ｖｄ６の電圧は、画素を黒色とするほど、電圧Ｖcよりも高位電圧となる。
水平帰線期間の終了タイミング（水平有効表示期間の開始タイミング）において信号ＮＲＧがＬレベルになるので、第１セレクタ３４０は、水平有効表示期間にわたって増幅・反転回路３３０の画像信号Ｖｄ１〜Ｖｄ６を選択する。したがって、画像信号線１７１に供給される信号Ｖｉｄ１〜Ｖｉｄ６は、それぞれ画像信号Ｖｄ１〜Ｖｄ６である。
【００２９】
一方、走査信号Ｇ１がＨレベルになる水平有効表示期間では、図４に示されるように、シフトレジスタ１４２から信号Ｓａ１、Ｓａ２、Ｓａ３、…、Ｓａｎが順番にＨレベルとなるように出力される。水平有効表示期間では信号ＮＲＧがＬレベルであるので、これらの信号Ｓａ１、Ｓａ２、Ｓａ３、…、Ｓａｎは、ＯＲ回路１４４をそのままスルーして、図５に示されるようにサンプリング信号Ｓ１、Ｓ２、Ｓａ３、…、Ｓａ（ｎ−１）、Ｓｎとして出力される。
【００３０】
いま、走査信号Ｇ１がＨレベルになる水平有効走査期間において、サンプリング信号Ｓ１がＨレベルになると、左から１番目のブロックに属する６本のデータ線１１４には、信号Ｖｉｄ１〜Ｖｉｄ６のうち対応するものがそれぞれサンプリングされる。そして、サンプリングされた信号Ｖｉｄ１〜Ｖｉｄ６の電圧は、図２において上から数えて１行目の走査線１１２と当該６本（左から数えて１〜６列目）のデータ線１１４と交差する画素の画素電極１１８にそれぞれ印加されることになる。
この後、サンプリング信号Ｓ２がＨレベルになると、今度は、２番目のブロックに属する６本のデータ線１１４に、それぞれ信号Ｖｉｄ１〜Ｖｉｄ６がサンプリングされて、これらの信号Ｖｉｄ１〜Ｖｉｄ６の電圧が、１行目の走査線１１２と当該６本（左から数えて７〜１２列目）のデータ線１１４と交差する画素の画素電極１１８にそれぞれ印加されることになる。
【００３１】
以下同様にして、サンプリング信号Ｓ３、Ｓ４、……、Ｓｎが順次Ｈレベルになると、第３番目、第４番目、…、第ｎ番目のブロックに属する６本のデータ線１１４に信号Ｖｉｄ１〜Ｖｉｄ６のうち対応するものがサンプリングされ、これらの信号Ｖｉｄ１〜Ｖｉｄ６が、１行目の走査線１１２と、当該６本のデータ線１１４と交差する画素の画素電極１１８にそれぞれ印加されることになる。これにより、第１行目の画素のすべてに対する書き込みが完了することになる。
ここで、画素に書き込まれる信号Ｖｉｄ１〜Ｖｉｄ６は、増幅・反転回路３３０による画像信号Ｖｄ１〜Ｖｄ６であるので、対向電極１０８の電圧Ｖcとの差が大きい程、液晶層１０５に印加される電圧実効値が高まる。このため、画素１１０の透過率が低下して暗くなる。
【００３２】
続いて、走査信号Ｇ２がＨレベルになる期間について説明する。本実施形態では、上述したように、走査線単位の極性反転が行われるので、この水平有効表示期間においては、負極性書込が行われることになる。
この負極性書込の水平有効表示期間の先立つ帰線期間のうち、プリチャージ期間において、信号ＮＲＧがＨレベルになると、信号Ｓ１、Ｓ２、…、Ｓ（ｎ−１）、ＳｎがＯＲ回路１４４によってＨレベルとなるので、すべてのサンプリングスイッチ１５０がオンする。
これにより、画像信号線１７１に供給されたプリチャージ信号Ｖpreが、データ線１１４にサンプリングされる。ここで、走査信号Ｇ２がＨレベルとなる水平有効表示期間は負極性書込であるので、プリチャージ信号Ｖpreの電圧はＶg(-)である。したがって、データ線１１４は、このプリチャージ期間において電圧Ｖg(-)にプリチャージされる。また、黒信号Ｖbkは、電圧Ｖb(+)からＶb(-)に切り替わる。
他の動作については走査信号Ｇ１がＨレベルになる水平有効表示期間と同様であり、サンプリング信号Ｓ１、Ｓ２、Ｓ３、…、Ｓｎが順次Ｈレベルになって、第２行目の画素のすべてに対する書き込みが完了することになる。
ただし、走査信号Ｇ２がＨレベルとなる水平有効表示期間は負極性書込であるので、増幅・反転回路３３０は、６チャネルに分配されて、時間軸に対して６倍に伸長された信号を、負極性書込に対応して、電圧Ｖcを基準に反転して出力する。このため、信号Ｖｉｄ１〜Ｖｉｄ６（Ｖｄ１〜Ｖｄ６）の電圧は、画素を黒色とするほど、電圧Ｖcよりも低位電圧となる。
【００３３】
以下同様にして、走査信号Ｇ３、Ｇ４、…、ＧｍがＨレベルになって、第３行目、第４行目、…、第ｍ行目の画素に対して書き込みが行われることになる。これにより、奇数行目の画素については正極性書込が行われる一方、偶数行目の画素については負極性書込が行われて、この１垂直走査期間においては、第１行目〜第ｍ行目の画素のすべてにわたって書き込みが完了することになる。
そして、次の１垂直走査期間においても、同様な書き込みが行われるが、この際、各行の画素に対する書込極性が入れ替えられる。すなわち、次の１垂直走査期間において、奇数行目の画素については負極性書込が行われる一方、偶数行目の画素については正極性書込が行われることになる。この書込極性の入れ替えに伴って、黒電圧生成回路３５０およびプリチャージ電圧生成回路３６０は、奇数行、偶数行に対する黒信号Ｖbkおよびプリチャージ信号Ｖpreの極性を入れ替える。このように、垂直走査期間毎に画素に対する書込極性が入れ替えられるので、液晶層１０５に直流成分が印加されることがなくなり、液晶層１０５の劣化が防止される。
【００３４】
このような画像の表示動作において、すべての画素（または、比較的に広い範囲の画素）を、最低階調の黒色と最高階調の白色とのほぼ中間階調である灰色として表示させたとき、該画像の拡大図が、例えば図６（ａ）に示されるように、各ブロックにおいて最も右に位置するデータ線１１４、すなわち、チャネルｃｈ６の信号Ｖｉｄ６が供給されるデータ線１１４に位置する画素が、他のデータ線１１４に位置するよりも明るくなってしまう場合を考えてみる。
なお、その原因は、６本のデータ線１１４を同時に選択して画像信号線１７１の信号Ｖｉｄ１〜Ｖｉｄ６をサンプリングする動作を、ブロック毎に順番に行うためであると考えられるが、本願はその原因については問題としない（その現象を打ち消すことを問題とする）。  
この場合、制御回路２００のフラッシュメモリに記憶される情報を更新して、図７に示されるように信号ＰＢ６の立ち下がりタイミング（ＨレベルからＬレベルに変化するタイミング）を、プリチャージ期間後であって水平有効表示期間前まで範囲となるように再セットする。信号ＰＢ１〜ＰＢ６のタイミングについては変更しない。
【００３５】
このように信号ＰＢ６の立ち下がりタイミングを、信号ＰＢ１〜ＰＢ５に対して遅延させると、当該信号ＰＢ６のチャネルｃｈ６に対応する信号Ｖｉｄ６は、図７に示されるように、プリチャージ期間後にて電圧Ｖg(+)から黒電圧Ｖb(+)に変化することになる（直後の水平有効表示期間において正極性書込が行われる場合）。すなわち、チャネルｃｈ６の信号Ｖｉｄ６が供給される画像信号線１７１だけが、プリチャージ期間後にサンプリングスイッチ１５０がオフした状態にて、電圧Ｖg(+)から黒電圧Ｖb(+)に変化することになる。
上述したようにサンプリングスイッチ１５０はＴＦＴによって構成されるが、そのソース・ドレイン間には、図８において符号１５２で示されるように容量が寄生するので、サンプリングスイッチ１５０がオフした状態であっても、画像信号線１７１の電圧変化は、容量１５２を介してデータ線１１４に波及する。
このため、サンプリングスイッチ１５０がオフした状態にて、信号Ｖｉｄ６の供給される画像信号線１７１がプリチャージ電圧Ｖg(+)から黒電圧Ｖb(+)に変化すると、各ブロックにおいてｃｈ６に対応するデータ線１１４もプリチャージによる電圧Ｖg(+)から黒電圧Ｖb(+)の方向に変動することになる。したがって、水平帰線期間終了時において、各ブロックのｃｈ６に対応するデータ線１１４に最終的にプリチャージされる電圧は、本来の電圧Ｖg(+)から高くなっている。
【００３６】
一方、信号ＰＢ１〜ＰＢ５は信号ＮＲＧと同一波形であり、サンプリングスイッチ１５０がオンからオフする瞬間にプリチャージ電圧Ｖg(+)から黒電圧Ｖb(+)に変化するので、信号Ｖｉｄ１〜Ｖｉｄ５の供給される画像信号線１７１は、水平帰線期間においてプリチャージ期間が経過してサンプリングスイッチ１５０がオフした状態では黒電圧Ｖb(+)で一定である。したがって、水平帰線期間終了時において、各ブロックのｃｈ１〜ｃｈ５に対応するデータ線１１４に最終的にプリチャージされる電圧は、本来の電圧Ｖg(+)である。
【００３７】
このため、プリチャージ後の水平有効表示期間において、画像信号線１７１に供給される信号Ｖｉｄ１〜Ｖｉｄ６（Ｖｄ１〜Ｖｄ６）の電圧がたとえ同じであったとしても、各ブロックのｃｈ６に対応するデータ線１１４に最終的にサンプリングされる電圧は、各ブロックのｃｈ１〜ｃｈ５に対応するデータ線１１４にサンプリングされる電圧よりも高くなる。したがって、ｃｈ６に対応するデータ線１１４に位置する画素は、暗くなるように補正される結果、図６（ｂ）に示されるように、ｃｈ１〜ｃｈ５に対応するデータ線１１４に位置する画素の階調と揃うことになって、上記ムラが改善されることになる。
なお、ここでは、正極性書込が行われる水平有効表示期間直前の水平帰線期間から当該水平有効表示期間について説明したが、負極性書込が行われる水平有効表示期間直前の水平帰線期間からの動作についても同様となる。
すなわち、負極性書込直前の水平帰線期間では、サンプリングスイッチ１５０がオフした状態にて、図７に示されるように、信号Ｖｉｄ６の供給される画像信号線１７１がプリチャージ電圧Ｖg(-)から黒電圧Ｖb(-)に変化するので、各ブロックのｃｈ６に対応するデータ線１１４もプリチャージによる電圧Ｖg(-)から黒電圧Ｖb(-)の方向に変動することになる。このため、水平帰線期間終了時において、各ブロックのｃｈ６に対応するデータ線１１４に最終的にプリチャージされる電圧は、本来の電圧Ｖg(-)から低くなるが、これは、画素を暗くする方向である点において、正極性書込と変わりがないからである。
【００３８】
なお、この説明では、チャネルｃｈ６に対応する信号ＰＢ６の立ち下がりタイミングをチャネルｃｈ１〜ｃｈ５に対応する信号ＰＢ１〜ＰＢ５に対して遅延させたが、この理由は、遅延前に発生する表示が図６（ａ）に示されるようなものであることを想定したためである。したがって、表示が図６（ａ）とは異なるのであれば、信号ＰＢ１〜ＰＢ６のいずれを遅延させるのかについても当然に異なることになる。
例えば、チャネルｃｈ１の画像信号が供給されるデータ線１１４に位置する画素が、チャネルｃｈ２〜ｃｈ６のデータ線１１４に位置するよりも明るい場合、信号ＰＢ１の立ち下がりタイミングを信号ＰＢ２〜ＰＢ６に対して遅延させれば良い。
また、チャネルｃｈ５およびｃｈ６の画像信号が供給されるデータ線１１４に位置する画素が、チャネルｃｈ１〜ｃｈ４のデータ線１１４に位置するよりも明るい場合、信号ＰＢ１の立ち下がりタイミングを信号ＰＢ２〜ＰＢ６に対して遅延させれば良い。
【００３９】
なお、実施形態では、黒電圧生成回路３５０が生成する黒信号Ｖbkの電圧は、画素を最低階調とさせるＶb(+)またはＶb(-)であったが、この電圧の意味は、上述したように画素に対して表示に寄与させないためであるので、必ずしも最低輝度に対応させる必要もなく、それよりも若干明るい程度の電圧であっても良い。
また、実施形態では、画像信号供給回路３００が画像信号線１７１を介して信号Ｖｉｄ１〜Ｖｉｄ６、黒信号Ｖbkまたはプリチャージ信号Ｖpreを供給する構成としたが、画像信号線１７１が設けられる反対側に、６本のプリチャージ線とともに、データ線１１４毎に別途プリチャージスイッチを設けて、これらによってデータ線１１４をプリチャージする構成としても良い。
【００４０】
実施形態では、垂直走査方向がＧ１→Ｇｍの方向であり、水平走査方向がＳ１→Ｓｎの方向であったが、後述するプロジェクタや回転可能な電気光学パネルとする場合には、走査方向を反転させる必要がある。ただし、映像データＶｉｄは、垂直走査および水平走査に同期して供給されるので、画像信号供給回路３００の全体構成を変更する必要はない。
上述した実施形態にあっては、１つにまとめられた６本のデータ線１１４に対して、画像信号Ｖｄ１〜Ｖｄ６の６チャネルに変換する構成したが、チャネル数および同時に印加するデータ線数（すなわち、１ブロックに属するデータ線数）は、「６」に限られるものではなく、２以上であれば良い。例えば、チャネル数および同時に印加するデータ線の数を「３」や、「１２」、「２４」として、３本や、１２本、２４本のデータ線に対して、３、１２、２４チャネルに分配した補正画像信号を供給する構成としても良い。なお、チャネル数としては、カラーの画像信号が３つの原色に係る信号からなることとの関係から、３の倍数であることが制御や回路などを簡易化する上で好ましい。ただし、後述するプロジェクタのように単なる光変調の用途の場合には、３の倍数である必要はない。
【００４１】
一方、上述した実施形態において、画像信号供給回路３００は、ディジタルの映像データＶｉｄを処理するものとしたが、アナログの画像信号を処理する構成としても良い。さらに、上述した実施形態にあっては、対向電極１０８と画素電極１１８との電圧実効値が小さい場合に白色表示を行うノーマリーホワイトモードとして説明したが、黒色表示を行うノーマリーブラックモードとしても良い。
また、実施形態では、黒電圧生成回路３５０による黒信号Ｖbk、および、プリチャージ電圧生成回路３６０によるプリチャージ信号Ｖpreを、増幅・反転回路３３０による画像信号に置き換える構成としたが、ディジタルの映像信号Ｖｉｄに、ディジタルのプリチャージ信号に相当するデータを重畳させるとともに、その重畳タイミングをチャネル毎に変更する構成としても良い。
【００４２】
さらに、上述した実施形態では、液晶としてＴＮ型を用いたが、ＢＴＮ（Bi-stable Twisted Nematic）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
また、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
【００４３】
次に、上述した実施形態に係る電気光学装置を用いた電子機器の一例として、上述した電気光学パネル１００をライトバルブとして用いたプロジェクタについて説明する。図９は、このプロジェクタの構成を示す平面図である。この図に示されるように、プロジェクタ２１００内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００４４】
ここで、ライトバルブ１００Ｒ、１００Ｇおよび１００Ｂの構成は、上述した実施形態における電気光学パネル１００と同様であり、画像信号供給回路（図９では省略）から供給されるＲ、Ｇ、Ｂの各色に対応する画像信号でそれぞれ駆動されるものである。すなわち、このプロジェクタ２１００では、電気光学パネル１００を含む電気光学装置が、Ｒ、Ｇ、Ｂの各色に対応して３組設けられ、各色の電気光学パネルにおける表示のムラが、それぞれ目立たなくなるように補正される構成となっている。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【００４５】
なお、ライトバルブ１００Ｒ、１００Ｇおよび１００Ｂには、ダイクロイックミラー２１０８によって、Ｒ、Ｇ、Ｂの各原色に対応する光が入射するので、上述したようにカラーフィルタを設ける必要はない。また、ライトバルブ１００Ｒ、１００Ｂの透過像は、ダイクロイックミラー２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００４６】
電子機器としては、図９を参照して説明した他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、携帯電話機、タッチパネルを備えた機器等などが挙げられる。そして、これらの各種の電子機器に対して、本発明に係る表示パネルが適用可能なのは言うまでもない。
【図面の簡単な説明】
【００４７】
【図１】本発明の実施形態に係る電気光学装置の全体構成を示すブロック図である。
【図２】同電気光学装置における電気光学パネルの構成を示すブロック図である。
【図３】同電気光学パネルの画素の構成を示す図である。
【図４】同電気光学装置の動作を説明するためのタイミングチャートである。
【図５】同電気光学装置の動作を説明するためのタイミングチャートである。
【図６】同電気光学装置における表示の不具合例を示す図である。
【図７】同不具合の対処を示す図である。
【図８】同不具合の対処を示す図である。
【図９】同電気光学装置を適用した電子機器の一例たるプロジェクタの構成を示す図である。
【符号の説明】
【００４８】
１００…電気光学パネル、１１２…走査線、１１４…データ線、１１６…ＴＦＴ、１１８…画素電極、１３０…走査線駆動回路、１４０…ブロック選択回路、１４２…シフトレジスタ、１５０…サンプリングスイッチ、１７１…画像信号線、２００…制御回路、３００…画像信号供給回路、２１００…プロジェクタ
【図１】
2005321649.tif 000003
【図２】
2005321649.tif 000004
【図３】
2005321649.tif 000005
【図４】
2005321649.tif 000006
【図５】
2005321649.tif 000007
【図６】
2005321649.tif 000008
【図７】
2005321649.tif 000009
【図８】
2005321649.tif 000010
【図９】
2005321649.tif 000011